(57)【要約】【課題】部品点数を少なくするとともに組立工数を少なくすることができ、製造コストを低減することができる操作釦装置を提供すること。【解決手段】開口１１３が形成された枠体１１０と、枠体１１０の固定部１１４に固定された支点部１３１と支点部１３１に沿って配置され枠体１１０の開口１１３を通って第１の面１１１側に突出する複数の釦部１３２と釦部１３２を支点部１３１に連結する連結部１３３とを有し、連結部１３３が弾性変形することにより釦部１３２が回動するように設けられた連釦部材１３０と、支点部１３１に当接する釦ホルダ１４２と釦ホルダ１４２の一面に設けられ釦部１３２の間を通って第１の面１１１側に突出する桟部１４３とを有し、枠体１１０との間に連釦部材１３０を保持する保持部材１４０とを備えるように構成する。【選択図】　図２
2004110134.tif 000002
【特許請求の範囲】
【請求項１】
第１の面と前記第１の面の背面としての第２の面とを有し、前記第１の面および前記第２の面を貫通する開口が形成された枠体と、
前記第２の面に設けられた固定部に固定された支点部と前記支点部に沿って配置され前記枠体の前記開口を通って前記第１の面側に突出する複数の釦部と前記釦部を前記支点部に連結する連結部とを有し、前記連結部が弾性変形することにより前記釦部が回動するように設けられた連釦部材と、
前記支点部に当接する釦ホルダと前記釦ホルダの一面に設けられ前記釦部の間を通って前記第１の面側に突出する桟部とを有し、前記枠体との間に前記連釦部材を保持する保持部材とを備えたことを特徴とする操作釦装置。
【請求項２】
前記桟部は、前記枠体の前記開口を囲む縁部から離隔して設けられ、前記釦部は、前記桟部と前記縁部との間に突出する突出部を有することを特徴とする請求項１に記載の操作釦装置。
【請求項３】
前記保持部材は、前記第２の面側から前記釦部に照射された光の照射範囲を制限する孔が形成された遮光性部材からなることを特徴とする請求項１または請求項２に記載の操作釦装置。
【請求項４】
請求項１から請求項３までの何れかに記載の操作釦装置を備えたことを特徴とする車載用の電子機器。
【請求項５】
第１の面と前記第１の面の背面としての第２の面とを有し、前記第１の面および前記第２の面を貫通する開口が形成された枠体と、支点部と前記支点部に沿って配置された複数の釦部と前記釦部を前記支点部に連結する連結部とを有する連釦部材と、釦ホルダと前記釦ホルダの一面に設けられた桟部とを有する保持部材とを準備する準備工程と、
前記支点部が前記第２の面に設けられた固定部に固定され、前記釦部が前記枠体の前記開口を通って前記第１の面側に突出するように、前記連釦部材を前記第２の面側から前記枠体に取り付ける第１の取付工程と、
前記釦ホルダが前記支点部に当接し、前記桟部が前記釦部の間を通って前記第１の面側に突出するように、前記保持部材を前記第２の面側から前記枠体に取り付ける第２の取付工程とを備えたことを特徴とする操作釦装置の組立方法。
【発明の詳細な説明】
【０００１】
【発明の属する技術分野】
本発明は、電子機器を操作する操作釦装置およびその組立方法に関するものである。
【０００２】
【従来の技術】
従来から、この種の操作釦装置は、ＤＶＤ（Ｄｉｇｉｔａｌ　Ｖｅｒｓａｔｉｌｅ　Ｄｉｓｃ）プレーヤ、ＣＤ（Ｃｏｍｐａｃｔ　Ｄｉｓｃ）プレーヤ、カセットテーププレーヤ、ラジオ受信機などが組み込まれた電子機器を操作する操作釦装置として普及している（例えば、特許文献１参照）。
【０００３】
このような従来の操作釦装置２００は、図５から図７に示すように、電子機器の筐体に取り付けられた枠体２１０と、電子機器の各種機能に対応する文字、記号などが形成された複数の操作釦とを備えている。操作釦は、１つの釦部を有する単釦部材２２０によって構成されている。
【０００４】
枠体２１０は、操作面としての第１の面２１１と、第１の面２１１の背面としての第２の面２１２とを有しており、枠体２１０には、第１の面２１１および第２の面２１２を貫通する開口２１３が形成されている。枠体２１０は、枠体２１０の開口２１３を囲む縁部２１５と、枠体２１０の開口２１３に対して平行に配置された保持部２１６と、保持部２１６を縁部２１５に連結する連結部２１７と、両端が縁部２１５に接続された接続部２１８と、接続部２１８の一面に設けられ、隣り合う単釦部材２２０の間を通って第１の面２１１側に突出する桟部２１９とを有している。桟部２１９は、縁部２１５から離隔して設けられている。
【０００５】
単釦部材２２０は、枠体２１０の開口２１３を通って第１の面２１１側に突出する釦部２２１と、釦部２２１の背面に設けられ、保持部２１６の図示しない突起に係合する係合部２２２と、釦部２２１の側面から桟部２１９と縁部２１５との間に突出する突出部２２３とを有している。単釦部材２２０は、保持部２１６に保持され、連結部２１７が弾性変形することにより回動するようになっている。単釦部材２２０は、係合部２２２が保持部２１６の突起に係合し、釦部２２１が枠体２１０の開口２１３を通って第１の面２１１側に突出するように、第１の面２１１側から枠体２１０に取り付けられている。
【０００６】
【特許文献１】
登録実用新案第２５３０６５７号公報（第２−３頁、第１図）
【０００７】
【発明が解決しようとする課題】
しかしながら、上記従来の操作釦装置においては、突出部が桟部と縁部との間に突出しているため、操作釦が単釦部材によって構成され、単釦部材が枠体の第１の面側から枠体に取り付けられていた。このように構成された操作釦装置においては、部品点数が多くなるとともに組立工数が多くなるため、製造コストが高くなるという問題があった。
【０００８】
そこで、本発明は、このような問題を解決するため、部品点数を少なくするとともに組立工数を少なくすることができ、製造コストを低減することができる操作釦装置を提供することを目的とする。
【０００９】
【課題を解決するための手段】
上記の課題を解決するために、本発明の操作釦装置は、第１の面と前記第１の面の背面としての第２の面とを有し、前記第１の面および前記第２の面を貫通する開口が形成された枠体と、前記第２の面に設けられた固定部に固定された支点部と前記支点部に沿って配置され前記枠体の前記開口を通って前記第１の面側に突出する複数の釦部と前記釦部を前記支点部に連結する連結部とを有し、前記連結部が弾性変形することにより前記釦部が回動するように設けられた連釦部材と、前記支点部に当接する釦ホルダと前記釦ホルダの一面に設けられ前記釦部の間を通って前記第１の面側に突出する桟部とを有し、前記枠体との間に前記連釦部材を保持する保持部材とを備えたことを特徴とする構成を有している。
【００１０】
この構成により、本発明の操作釦装置は、操作釦が連釦部材によって構成されているので、部品点数を少なくするとともに組立工数を少なくすることができ、製造コストを低減することができる。また、枠体の開口の形状が単純になるので、釦部の形状および配置を容易に変更することができ、設計の自由度を高くすることができる。
【００１１】
また、本発明の操作釦装置は、前記桟部は、前記枠体の前記開口を囲む縁部から離隔して設けられ、前記釦部は、前記桟部と前記縁部との間に突出する突出部を有することを特徴とする構成を有している。
【００１２】
この構成により、本発明の操作釦装置は、釦部の表面を大きくすることができ、連釦部材の操作性、視認性および意匠性を向上させることができる。
【００１３】
また、本発明の操作釦装置は、前記保持部材は、前記第２の面側から前記釦部に照射された光の照射範囲を制限する孔が形成された遮光性部材からなることを特徴とする構成を有している。
【００１４】
この構成により、本発明の操作釦装置は、保持部材を遮光板として用いることができ、部品点数を少なくすることができる。
【００１５】
また、本発明の電子機器は、操作釦装置を備えたことを特徴とする構成を有している。
【００１６】
この構成により、本発明の電子機器は、車両の振動によるラトルノイズの発生を防止することができる。また、各部材の熱変形による連釦部材の脱落を防止することができる。
【００１７】
また、本発明の操作釦装置の組立方法は、第１の面と前記第１の面の背面としての第２の面とを有し、前記第１の面および前記第２の面を貫通する開口が形成された枠体と、支点部と前記支点部に沿って配置された複数の釦部と前記釦部を前記支点部に連結する連結部とを有する連釦部材と、釦ホルダと前記釦ホルダの一面に設けられた桟部とを有する保持部材とを準備する準備工程と、前記支点部が前記第２の面に設けられた固定部に固定され、前記釦部が前記枠体の前記開口を通って前記第１の面側に突出するように、前記連釦部材を前記第２の面側から前記枠体に取り付ける第１の取付工程と、前記釦ホルダが前記支点部に当接し、前記桟部が前記釦部の間を通って前記第１の面側に突出するように、前記保持部材を前記第２の面側から前記枠体に取り付ける第２の取付工程とを備えたことを特徴とする構成を有している。
【００１８】
この方法により、本発明の操作釦装置は、操作釦が連釦部材によって構成され、連釦部材および保持部材が枠体の第２の面側から枠体に取り付けられているので、部品点数を少なくするとともに組立工数を少なくすることができ、組立作業を容易に行うことができる。
【００１９】
【発明の実施の形態】
以下、本発明の実施の形態について、図面を用いて説明する。
【００２０】
まず、本発明の一実施の形態に係る操作釦装置および操作釦装置を備えた電子機器の構成について説明する。
【００２１】
図１において、電子機器１０は、ＤＶＤプレーヤ、ＣＤプレーヤ、カセットテーププレーヤ、ラジオ受信機などが組み込まれたものであり、電子機器１０の前面には、電子機器１０を操作する操作釦装置１００が設けられている。操作釦装置１００は、電子機器１０の筐体に取り付けられた枠体１１０と、電子機器１０の各種機能に対応する文字、記号などが形成された複数の操作釦とを備えている。操作釦は、１つの釦部を有する単釦部材１２０および複数の釦部を有する連釦部材１３０によって構成されている。以下、連釦部材１３０およびその周辺の部材に注目して操作釦装置１００の構成を説明する。
【００２２】
図２から図４において、枠体１１０は、操作面としての第１の面１１１と、第１の面１１１の背面としての第２の面１１２とを有している。枠体１１０には、第１の面１１１および第２の面１１２を貫通する開口１１３が形成されている。連釦部材１３０は、第２の面１１２に設けられた固定部１１４に固定された棒状の支点部１３１と、支点部１３１に沿って配置された複数の釦部１３２と、釦部１３２を支点部１３１に連結する連結部１３３とを有している。連釦部材１３０は、連結部１３３が弾性変形することにより釦部１３２が回動するように設けられている。
【００２３】
また、操作釦装置１００は、枠体１１０との間に連釦部材１３０を保持する保持部材１４０と、第２の面１１２側に設けられた回路基板１５０とを備えている。回路基板１５０の一面には、釦部１３２に光を照射するＬＥＤ（Ｌｉｇｈｔ　Ｅｍｉｔｔｉｎｇ　Ｄｉｏｄｅ）などの光源１５１および光源１５１の近傍に位置するスイッチ１５２が設けられている。保持部材１４０は、光源１５１から釦部１３２に照射された光の照射範囲を制限する孔１４１が形成された遮光性部材からなり、枠体１１０と釦部１３２との間に形成された間隙からの光の漏洩を防止する遮光板を構成している。
【００２４】
釦部１３２は、連結部１３３に接続され、枠体１１０の開口１１３を通って第１の面１１１側に突出する胴部１３５と、胴部１３５の背面に設けられ、スイッチ１５２に対向する押圧部１３６と、胴部１３５の周縁に設けられた鍔部１３７とを有している。釦部１３２は、押圧部１３６がスイッチ１５２から離隔する第１の位置と押圧部１３６がスイッチ１５２を押圧する第２の位置とに回動するようになっている。鍔部１３７は、釦部１３２が第１の位置にあるときには枠体１１０に当接し、釦部１３２が第２の位置にあるときには枠体１１０から離隔するようになっている。
【００２５】
連結部１３３は、釦部１３２が第１の位置から第２の位置に回動することにより弾性変形するようになっており、この弾性変形の復元力によって釦部１３２を第１の位置に付勢するようになっている。したがって、釦部１３２は、連結部１３３によって第１の位置に付勢されるとともに、鍔部１３７が枠体１１０に当接することにより、第１の位置に静止した状態を保つようになっている。
【００２６】
スイッチ１５２は、釦部１３２が第１の位置と第２の位置との間を回動することにより所定のストロークだけ作動し、スイッチ１５２に設けられた接点を開閉するようになっている。
【００２７】
保持部材１４０は、支点部１３１に当接する釦ホルダ１４２と、釦ホルダ１４２の一面に設けられ、連釦部材１３０の隣り合う釦部１３２の間を通って第１の面１１１側に突出する桟部１４３とを有している。桟部１４３は、枠体１１０の開口１１３を囲む縁部１１５から離隔して設けられている。釦部１３２は、隣り合う釦部１３２に対向する面、即ち、胴部１３５の側面から、桟部１４３と縁部１１５との間に突出する突出部１３８を有している。胴部１３５および突出部１３８は、釦部１３２の表面１３９を形成している。
【００２８】
次に、本実施の形態に係る操作釦装置を組み立てる際の作業工程について説明する。
【００２９】
まず、枠体１１０、連釦部材１３０、保持部材１４０および回路基板１５０が分離された状態の操作釦装置１００を準備する。次に、支点部１３１が固定部１１４に固定され、胴部１３５が枠体１１０の開口１１３を通って第１の面１１１側に突出するように、連釦部材１３０を第２の面１１２側から枠体１１０に取り付ける。次に、釦ホルダ１４２が支点部１３１に当接し、桟部１４３が連釦部材１３０の隣り合う釦部１３２の間を通って第１の面１１１側に突出するように、保持部材１４０を第２の面１１２側から枠体１１０に取り付ける。そして、回路基板１５０を枠体の第２の面１１２側から枠体１１０に取り付けて、作業工程を終了する。
【００３０】
以上説明したように、本実施の形態においては、操作釦が連釦部材１３０によって構成されているので、操作釦装置１００の部品点数を少なくするとともに組立工数を少なくすることができ、操作釦装置１００の製造コストを低減することができる。
【００３１】
また、本実施の形態においては、枠体１１０の開口１１３の形状が単純になるので、釦部１３２の形状および配置を容易に変更することができ、操作釦装置１００の設計の自由度を高くすることができる。
【００３２】
また、本実施の形態においては、突出部１３８が桟部１４３と縁部１１５との間に突出しているので、釦部１３２の表面１３９を大きくすることができ、連釦部材１３０の操作性、視認性および意匠性を向上させることができる。
【００３３】
また、本実施の形態においては、保持部材１４０が光源１５１から釦部１３２に照射された光の照射範囲を制限する孔１４１が形成された遮光性部材からなるので、保持部材１４０を遮光板として用いることができ、操作釦装置１００の部品点数を少なくすることができる。
【００３４】
また、本実施の形態においては、操作釦が連釦部材１３０によって構成され、連釦部材１３０および保持部材１４０が枠体１１０の第２の面側から枠体１１０に取り付けられているので、操作釦装置１００の部品点数を少なくするとともに組立工数を少なくすることができ、操作釦装置１００の組立作業を容易に行うことができる。
【００３５】
なお、本実施の形態においては、電子機器１０を自動車などの車両に搭載するように構成してもよい。このように構成された電子機器１０では、釦部１３２が連結部１３３に付勢されて第１の位置に静止した状態を保つようになっているので、車両の振動によるラトルノイズの発生を防止することができる。また、連釦部材１３０が枠体１１０と保持部材１４０との間に保持されているので、各部材の熱変形による連釦部材１３０の脱落を防止することができる。
【００３６】
【発明の効果】
以上説明したように、本発明によれば、部品点数を少なくするとともに組立工数を少なくすることができ、製造コストを低減することができる操作釦装置を提供することができる。
【図面の簡単な説明】
【図１】本発明の一実施の形態に係る操作釦装置および電子機器の正面図
【図２】本発明の一実施の形態に係る操作釦装置の要部断面図
【図３】本発明の一実施の形態に係る操作釦装置の要部正面図
【図４】本発明の一実施の形態に係る操作釦装置の要部分解斜視図
【図５】従来の操作釦装置の要部断面図
【図６】従来の操作釦装置の要部正面図
【図７】従来の操作釦装置の要部分解斜視図
【符号の説明】
１０　電子機器
１００　操作釦装置
１１０　枠体
１１１　第１の面
１１２　第２の面
１１３　開口
１１４　固定部
１１５　縁部
１３０　連釦部材
１３１　支点部
１３２　釦部
１３３　連結部
１３８　突出部
１４０　保持部材
１４１　孔
１４２　釦ホルダ
１４３　桟部
【図１】
2004110134.tif 000003
【図２】
2004110134.tif 000004
【図３】
2004110134.tif 000005
【図４】
2004110134.tif 000006
【図５】
2004110134.tif 000007
【図６】
2004110134.tif 000008
【図７】
2004110134.tif 000009